(57)【要約】【課題】機体の各部を覆うカバーを開閉自在に設けた移動農機において、機体の修理や点検・整備をする際のカバーの開閉性の向上を図りながら鎌を収容できる収容部を安価な構成で得る。【解決手段】機体の各部を覆うカバーを開閉自在に設けた移動農機において、上記カバーに側方へ突出する道具等の収容部を設け、該収容部をカバー開閉時の取っ手に兼用できるように構成した。また、カバーをコンバイン運転席のサイドコラムの右側面カバーとし、収容部を鎌入れとした。【選択図】図３
2005143336.tif 000002
【特許請求の範囲】
【請求項１】
機体の各部を覆うカバーを開閉自在に設けた移動農機において、上記カバーに側方へ突出する道具等の収容部を設け、該収容部をカバー開閉時の取っ手に兼用できるように構成したことを特徴とする移動農機のカバー。
【請求項２】
カバーをコンバイン運転席のサイドコラムの右側面カバーとし、収容部を鎌入れとした請求項１記載の移動農機のカバー。
【発明の詳細な説明】
【技術分野】
【０００１】
本発明は、移動農機のカバーに関する。
【背景技術】
【０００２】
従来、移動農機においては、機体各部を点検・整備するために開閉可能なカバーを必要とする。（例えば、特許文献１参照。）。
【特許文献１】特開２００１−１４６１１８号公報（第３頁，図５，９）
【発明の開示】
【発明が解決しようとする課題】
【０００３】
しかし、従来公知の上記特許文献１のものは、点検窓より内部を点検しようとする際に、上記カバーを開く必要があるが、該カバーには握る所がなく、カバーの開閉操作性が悪かった。
そこで、カバーに別個の専用取っ手を設けることも考えられるが、運転コラムのスペースが限られているので、運転者の操縦の邪魔にならない状態に取付ける必要がある。
また、コンバインによる収穫作業時には、コンバインで刈り取りできない圃場の四隅の穀稈や刈り残した穀稈を切断して手扱ぎするために鎌が必要であり、機体周辺の取りやすい位置に鎌を収容する必要がある。
本発明の目的は、これら上記従来の不具合を改善する点にある。
【課題を解決するための手段】
【０００４】
上記目的を達成するため、本発明においては、機体の各部を覆うカバーを開閉自在に設けた移動農機において、上記カバーに側方へ突出する道具等の収容部を設け、該収容部をカー開閉時の取っ手に兼用できるように構成したことを第１の特徴とする。
【０００５】
また、カバーをコンバイン運転席のサイドコラムの右側面カバーとし、収容部を鎌入れとしたことを第２の特徴とする。
【発明の効果】
【０００６】
機体の各部を覆うカバーを開閉自在に設けた移動農機において、上記カバーに側方へ突出する道具等の収容部を設け、該収容部をカバー開閉時の取っ手に兼用できるように構成したので、上記カバーの開閉操作がやり易く、作業性を向上させるものであると共に、専用の取っ手を取付ける必要もないので、製作時のコスト上も有利である。
また、上記カバーをコンバイン運転席のサイドコラムの右側面カバーとし、収容部を鎌入れとしたので、上記収容部をコンバイン作業時に必須の農具である鎌入れとして、頑丈であり乍ら薄型のもので済み、これが運転コラム側に大きく突出して運転操作の邪魔になるような事もない。
【発明を実施するための最良の形態】
【０００７】
コンバインにおける運転席のサイドコラム右側面カバーを開閉自在とし、該カバーに側面へ突出する穀稈刈取用の鎌の収容部を上記カバー開閉時の取っ手に兼用できるように構成した。
【実施例】
【０００８】
本発明の実施例を以下図面に基づいて説明する。
図１は、本発明を採用した乗用型コンバイン前部の要部の平面図、図２は同上要部の側面図、図３は同上作用説明図、図４は蓋の拡大斜視図である。
先ず、図１において、１は運転席であって、該運転席１の中央にはオペレータ用の座席シート２があって、その前部の低部はオペレータが足を置く運転ステップ３で、その前方の運転コラムには右側に機体の操向や前処理部（図示省略）の高さ調節を行うためのマルチステアリングレバー４やアームレスト５等が、また、正面には各種運転部のモニター表示装置６等備えられ、更に、座席シート２の左側のサイドコラムＳには、主変速レバー７，副変速レバー８，作業機クラッチレバー９，各種の自動制御設定装置類１０等が、更にまた、座席シート２の後部には、穀粒排出時に使用するオーガ手動レバー１１等が夫々備えられている。
なお、上記運転ステップ２の左側隅の１２はクラッチペダルである。
【０００９】
次に、図２，３の側面図において、１４は上記座席シート２の下部に内装されたエンジンを覆うエンジンカバーであり、１５は各部の運転操作機器が集中している運転席１のサイドコラムＳに機体の内部点検用に設けられた点検窓（図３参照）で、１６は上記点検窓１５の全面を覆う後述するカバーである。
そして、オペレータが上記点検窓１５を開いて所定の修理や点検・整備作業等を行う際には、上記カバー１６を外して図２の状態から図３作用説明図の状態として作業を行うものである。
なお、１７はオペレータが上記運転席１に乗り降りする際に使用する足掛けである。
【００１０】
また、図４において、上記カバー１６の詳細を示す。即ち、カバー１６の下部側は上記点検窓１５への嵌め込み式で、上部側の左右の隅部に一対のノブ付き螺子１８，１８が備えられ、該両ノブ付き螺子１８，１８によって、上記点検窓１５を塞ぐ状態にしっかり固定されるものである。
そして、カバー１６の左側央部には、コンバイン作業に必須の農具である穀稈刈取用の鎌１９を収容するための突出量が少ない薄型で縦長形状の収容部２０が頑丈に溶着されており、カバー１６を点検窓１５に固定する際には、上記収容部２０をカバー１６の取っ手として十分に利用出来るように構成されている。
【００１１】
次に、本願発明の作用について説明するに、コンバインを駆動させて刈取収穫作業を行うが、運転席１のサイドコラムＳには各種の運転操作機器が集中しており、これらの各種運転操作機器が故障の際には勿論のこと、時々の点検や整備の際にはこれを覆っているカバー１６を外す必要がある。
このような時には、先ず、サイドコラムＳの右側にあるカバー１６の収容部２０に収容されている穀稈刈取用の鎌１９を引き抜いてから、カバー１６の上部左右にあるノブ付き螺子１８，１８を手で緩めて点検窓１５との上部の係止を外すと共に、上記収容部２０を握って、カバー１６を上方に移動してカバー１６の下部側の点検窓１５との係止を解いて、カバー１６を外す。
【００１２】
次いで、点検窓１５より機体各部の運転操作機器の修理や点検・整備等を行う。
そして、これらの作業が完了したならば、カバー１６の収容部２０を再び握って、カバー１６の下部側を点検窓１５に嵌め込み、点検窓１５全体を塞ぐように位置合わせをした上で、両ノブ付き螺子１８，１８を締めつけて、カバー１６を点検窓１５に固定した後、鎌１９を収容部２０内に再び収容する。
【００１３】
従って、従来、点検窓１５を覆うカバー１６の取り扱い操作に不便を来していたが、本願によると、収容部２０をカバー１６の取っ手として兼用することにより、点検窓１５より機体内部の運転操作機器の各部を修理や点検・整備等をする際の、カバー１６の開閉操作がやり易く、作業性を向上させるものであると共に、専用の取っ手をワザワザ取り付ける必要もなく、製作時のコスト上も有利である。
【００１４】
また、上記カバーをコンバイン運転席１のサイドコラムＳの右側面カバー１６とし、収容部２０をコンバイン作業時に必須の農具である鎌１９入れとして、頑丈であり乍ら薄型のもので済み、収容部２０が運転コラム側に大きく突出して運転操作の邪魔になるようなこともない。
更にまた、鎌１９がオペレータの近くに収容されているので、これを必要な際にはいちいちどこにあるのかを捜す必要もなく、迅速に対応出来るものである。
【００１５】
本実施例では、鎌１９を収容する収容部２０をサイドコラムＳの右側面に配置したカバー１６に構成したが、これに限定されること無く、例えば、排出オーガ縦筒を覆うカバーの背面側等、機体の外側面に設けたカバーであればよい。また、収容部２０は鎌に限らず取扱説明書や道具等が収容できてオペレータがつかむことのできる形状であればよい。
【図面の簡単な説明】
【００１６】
【図１】コンバイン前部の要部の平面図である。
【図２】同上要部の側面図である。
【図３】同上作用説明図である。
【図４】カバーの拡大斜視図である。
【符号の説明】
【００１７】
１    運転席
１６  カバー
１９  鎌
２０  収容部
Ｓ    サイドコラム
【図１】
2005143336.tif 000003
【図２】
2005143336.tif 000004
【図３】
2005143336.tif 000005
【図４】
2005143336.tif 000006